【事件の表示】
　国際登録第７３７２２７号に係る国際商標登録出願の拒絶査定に対する審判事件について、次のとおり審決する。
【結論】
　本件審判の請求は、成り立たない。
【理由】
１　本願商標
　本願商標は、「ＳＡＶＩＬＥ　ＲＯＷ」の欧文字を横書きしてなり、第１６類に属する国際登録において指定された商品を指定商品として、２００４（平成１６年）年６月１０日を事後指定の日とするものである。
　そして、指定商品については、２００４年１１月９日付け及び２００６年４月１４日付けで国際登録簿に記録された限定の通報があった結果、最終的に、第１６類「Ｃａｒｄｂｏａｒｄ，ｌｅｔｔｅｒｈｅａｄ　ａｎｄ　ｓｅｃｕｒｉｔｙ　ｐａｐｅｒ，ｐａｐｅｒ　ｆｏｒ　ｇｒａｐｈｉｃ　ａｒｔｓ，ｌｉｎｉｎｇ　ｐａｐｅｒ，ｐａｄｄｉｎｇ　ｐａｐｅｒ，ｄｒａｗｉｎｇ　ｐａｐｅｒ，ｐｒｉｎｔｉｎｇ　ｐａｐｅｒ，ｒｅｐｒｏｄｕｃｔｉｏｎ　ｐａｐｅｒ，ｗｒｉｔｉｎｇ　ｐａｐｅｒ，ｐｕｂｌｉｃａｔｉｏｎ　ｐａｐｅｒ，ｃｏｐｙｉｎｇ　ｐａｐｅｒ，ｃｏｒｒｕｇａｔｅｄ　ｐａｐｅｒ，ｐａｐｅｒ　ｆｉｌｅ，ｉｎｄｅｘ　ｃａｒｄｓ（ｓｔａｔｉｏｎｅｒｙ），ｔｙｐｅｗｒｉｔｅｒ　ｐａｐｅｒ，ｃｏｍｐｕｔｅｒ　ｐａｐｅｒ，ｎｅｗｓｐｒｉｎｔ　ｐａｐｅｒ，ｃａｒｄｂｏａｒｄ　ｆｏｒ　ｇｒａｐｈｉｃ　ａｒｔｓ，ｐａｐｅｒｂｏａｒｄ，ｐａｐｅｒ　ｂｏｘｅｓ，ｐａｐｅｒ　ｐａｄｓ，ｇｒｅｅｔｉｎｇ　ｃａｒｄｓ，ｂｕｓｉｎｅｓｓ　ｃａｒｄｓ，ｃａｒｄｂｏａｒｄ　ｂｏｘｅｓ，ｍａｇｎｅｔｉｃ　ｂｏａｒｄｓ，ｅｎｖｅｌｏｐｅｓ，ｌｅｔｔｅｒ　ｏｐｅｎｅｒｓ，ｓｔｉｃｋｅｒｓ，ｐａｐｅｒ　ｂａｇｓ，ｂｏｏｋ　ｃｏｖｅｒｓ，ａｃｃｏｕｎｔｉｎｇ　ｂｏｏｋｓ，ａｄｄｒｅｓｓ　ｂｏｏｋｓ，ｈｏｌｄｅｒｓ　ｆｏｒ　ｃｈｅｃｋｂｏｏｋｓ，ｂｏｏｋｌｅｔｓ，ｅｘｅｒｃｉｓｅ　ｂｏｏｋｓ，ａｐｐｏｉｎｔｍｅｎｔ　ｂｏｏｋｓ，ｃａｌｅｎｄａｒｓ，ａｌｍａｎａｃｓ，ｓｃｒａｐｂｏｏｋｓ，ｐｏｓｔｅｒｓ，ｆｉｌｉｎｇ　ｊａｃｋｅｔｓ，ｈａｎｇｉｎｇ　ｆｉｌｅｓ　ｆｏｌｄｅｒ，ｐｒｉｃｅ　ｔｉｃｋｅｔｓ，ｐｒｉｎｔｅｄ　ｒｅｐｒｏｄｕｃｔｉｏｎｓ　ａｎｄ　ｇｒａｐｈｉｃ　ａｒｔｓ　ｒｅｐｒｏｄｕｃｔｉｏｎｓ，ｐａｐｅｒ　ｌａｂｅｌｓ，ｐａｐｅｒ　ｆｉｌｅ　ｊａｃｋｅｔｓ，ｕｎｍｏｕｎｔｅｄ　ｐｈｏｔｏｇｒａｐｈｓ，ｎｅｗｓｐａｐｅｒ　ｆｏｒ　ｇｅｎｅｒａｌ　ｃｉｒｃｕｌａｔｉｏｎ，ｃａｔａｌｏｇｓ　ｉｎ　ｔｈｅ　ｆｉｅｌｄ　ｏｆ　ｐａｐｅｒ　ａｒｔｉｃｌｅｓ　ａｎｄ　ａｒｔ　ｒｅｐｒｏｄｕｃｔｉｏｎｓ，ｆｌｏｏｒ　ｄｉｓｐｌａｙｓ　ｏｆ　ｃａｒｄｂｏａｒｄ　ｆｏｒ　ｐｒｏｍｏｔｉｏｎａｌ　ｐｒｏｄｕｃｔｓ．」とされたものである。
２　原査定の拒絶の理由の要旨
　原査定は、「本願商標は、『ＳＡＶＩＬＥ　ＲＯＷ』の文字よりなるところ、これは、ロンドンにあるファッション街の名称を意味するものであるから、本願商標をその指定商品について使用しても、商品の製造、販売場所であると理解されるものであって、単に、商品の産地、販売地を表示するにすぎないものと認める。したがって、本願商標は、商標法第３条第１項第３号に該当する。」旨認定、判断し、本願を拒絶したものである。
３　当審の判断
　本願商標は、「ＳＡＶＩＬＥ　ＲＯＷ」の文字を書してなるところ、該「ＳＡＶＩＬＥ　ＲＯＷ」の文字は、「新グローバル英和辞典」（株式会社三省堂）によれば、「サヴィルロー。ロンドンの一流紳士服店の多い街路名。『背広』の語源とする説がある。」を意味するものである。
　また、広辞苑（第６版）によれば、「背広」は「ｃｉｖｉｌ　ｃｌｏｔｈｅｓの略訛か。また、ロンドンの洋服商の街サヴィル‐ロー（Ｓａｖｉｌｅ　Ｒｏｗ）からとも」と記載されている。
　そして、「ＳＡＶＩＬＥ　ＲＯＷ」（サヴィルロー）については、我が国のインターネット情報、新聞情報及び観光ツアー案内情報等においても、英国ロンドンの中心部にあるリージェントストリートとボンドストリートに挟まれた街路名を指す名称として、また、古くから有名な街路名及び街路に沿った地区名（地名）として知られているものであり、現在も、高級な紳士服等のファション地区であることが紹介されていることから、ロンドンの観光スポットとして広く注目されているものといい得るところである。
　してみれば、「ＳＡＶＩＬＥ　ＲＯＷ」（サヴィルロー）は、商業地区、繁華街地区又は観光地として、我が国において一般に知られているものと認められるところであるから、「ＳＡＶＩＬＥ　ＲＯＷ」の文字よりなる本願商標を、その指定商品に使用しても、取引者、需要者は商品の製造場所、販売場所であると理解するにすぎず、単に、商品の産地、販売地を表示したにすぎないものといわざるを得ない。
　以上のことは、例えば、以下のインターネットホームページ情報及び新聞記事等により、その一端をうかがい知ることができるところである。
＜インターネットホームページ情報＞
　（１）「ＢＩＧＬＯＢＥトラベル」（ｈｔｔｐ：／／ｔｒａｖｅｌ．ｂｉｇｌｏｂｅ．ｎｅ．ｊｐ／ａｂｒｏａｄ／ｓｐｏｔ／ＬＯＮ００９ｓ．ｈｔｍｌ）のホームページにおいて、「
サヴィル・ロウ
サヴィル・ロウ
サヴィル・ロウ
　（２）「Ｆａｓｈｉｏｎ　Ｐｒｅｓｓ」（ｈｔｔｐ：／／ｗｗｗ．ｆａｓｈｉｏｎ−ｐｒｅｓｓ．ｎｅｔ／ｗｏｒｄｓ／９８）のホームページにおいて、「ファッション用語集　
サヴィル・ロウ：Ｓａｖｉｌｅ　Ｒｏｗ
サヴィル・ロウ
サヴィル・ロウ
サヴィル・ロウ
　（３）「男の『装い』一科事典」（ｈｔｔｐ：／／ｗｗｗ．ｆｉｂｅｒｂｉｔ．ｎｅｔ／ｕｓｅｒ／ｅｙｅｌａｎｄ／ｙｏｆｕｋｕ／ｓｕｉｔｊａｃｋｅｔｇｏｇｅｎ．ｈｔｍ）のホームページにおいて、「背広（Ｓｅｂｉｒｏ＝Ｊａｃｋｔ　＆　Ｓｕｉｔ）」の項目のもと、「洋服のメッカ・サビルロー通りの名を取って《地名説》・・・ロンドンの中心地，ウエストエンドと呼ばれている地域、リージェント・ストーリーと，ボンドス・トリートに挟まれた，１５０メートルあまりの短い裏通りが、
サビルロー（Ｓａｖｉｌｅ　Ｒｏｗ）
サビルロー
　（４）「ｅｓｍｏ’ｓ　ｂｏｏｋ　ｓｔａｃｋ　エスモの書棚」（ｈｔｔｐ：／／ｅｓｍｏｓｂｏｏｋｓ．ｅｘｂｌｏｇ．ｊｐ／７７９４３７７／）のホームページにおいて、「Ｌｏｎｄｏｎ　ｃｕｔ　
Ｓａｖｉｌｅ　Ｒｏｗ
Ｓａｖｉｌｅ　Ｒｏｗ　Ｓｔｒｅｅｔ
セヴィル　ロウ　通り
　（５）「今月のお薦め本　〜２００３年１１月〜」（ｈｔｔｐ：／／ｈｏｍｅｐａｇｅ３．ｎｉｆｔｙ．ｃｏｍ／ｅｉｋｏｋｕ−ｔａｎｂｏｕ／ｂｏｏｋｓ５．ｈｔｍ）のホームページにおいて、「【イギリスの職人たち】淺岡　敬史著　東京書籍　１９９６年発行」の項目のもと、「もうこの本はタイトルを見ただけで内容がわかる・・・イギリスでの様々な職業の「職人」サン達をご紹介しています　先ずはロンドンの
サヴィルロー
　（６）「ＪＥＮＳ　ＷｅＢｌｏｇ」（ｈｔｔｐ：／／ｗｗｗ．ｗｅ−ｂｌｏｇ．ｊｐ／ｓｋｙ／ｉｚｕｋ／２００６０８０６．ｐｈｐ）のホームページにおいて、「ケンジイ出張ブログ　２００６／０８／０６」の項目のもと、「背広　
ＳＡＶＩＬＥ　ＲＯＷ
　（７）「趣味の水墨画、陶芸、スモーク、バードカービング、手作り　つぼさんの趣味のページ」（ｈｔｔｐ：／／ｈｏｍｅ．ｅ０７．ｉｔｓｃｏｍ．ｎｅｔ／ｔｓｕｂｏ／ｔ２８−４．ｈｔｍ）のホームページにおいて、「（４）フリーでロンドン市内観光。リージェントパーク、
サビルロー
サビルロー
サビルロー
サヴィルロー
　（８）「ＨＯＲＮＥＴ」（ｈｔｔｐ：／／ｗｗｗ００２．ｕｐｐ．ｓｏ−ｎｅｔ．ｎｅ．ｊｐ／ｈｏｒｎｅｔ／ｌｏｎｄｏｎ２．ｈｔｍ）のホームページにおいて、「Ｍａｙｆａｉｒ−Ｃｏｖｅｎｔ　Ｇａｒｄｅｎ−大英博物館」の項目のもと、「この看板に　３　
ＳＡＶＩＬＥ　ＲＯＷ
＜新聞記事情報＞
　（１）１９９０年９月５日付け流通サービス新聞　７頁には、「ブリティッシュトラッドの複権−３つボタン、狭いＶゾーン、ウエストの絞り込み」の見出しのもと、「背広の語源にもなった紳士服発祥の地ロンドンのテーラー街『・・・
サヴィル・ロウ
　（２）１９９５年１２月１日付け中日新聞　夕刊３頁には、「語苦楽帳」の見出しのもと、「・・・その一つは平服を意味する英語のｃｉｖｉｌ　ｃｌｏｔｈｅｓをなまったうえ、後の部分を略したもの。もう一つはロンドンの洋服店街
Ｓａｖｉｌｅ　Ｒｏｗ
　（３）２００６年５月１６日付け日本工業新聞社　ＦｕｊｉＳａｎｋｅｉ　Ｂｕｓｉｎｅｓｓ　ｉ．２４頁　メディア　Ｂ解説　には、「【テレビショッピング事始め】（７）語源・起源の知識を提供」の見出しのもと、「背広については語源に諸説ある。第一に、日本に背広が入ってきたとき、背巾がゆったりしていたところから生まれたという説。第二に、イギリスの有名な紳士服店街
Ｓａｖｉｌｅ　Ｒｏｗ（サヴィルロー）
　（４）２００８年４月１８日付け神戸新聞　朝刊　２９頁には、「中央区　紳士服老舗　伝統的な１０点展示　英国の誇りを随所に」の見出しのもと、「ヘンリープールは、仕立屋が多く集まり、英国紳士服の聖地として知られるロンドンの地区『
サヴィル・ロウ
　（５）２００８年１１月１３日付け産経新聞　大阪夕刊　７頁には、「【カルロ黒部のカッコイイ男の創り方】（６）ブリティッシュ」の見出しのもと、「■
サヴィル・ロウ
サヴィル・ロウ
＜辞書、辞典等＞
「背広」について、「折り襟になっている、男性の平常着。本来は、上着・チョッキ・ズボンの三つぞろいからなる。シングルとダブルとがある。サックコート。スーツ。◆語源未詳で、『背広』は当て字。フロックコートなどと違って、背幅が広いことからとも、ｃｉｖｉｌ　ｃｌｏｔｈｅｓ（市民服の意）または
Ｓａｖｉｌｅ　Ｒｏｗ
　以上の事実を総合的に勘案すると、本願商標は、英国のロンドンにある広く知られた街路名及び街路に沿った地区名を認識させるものであって、一種の地名を表示するものといわざるを得ない。
　そして、地名等は取引において何人も使用を欲するものであり、特定人に独占を認めるのは妥当でないというべきである。
　よって、本願商標は、本願の指定商品の産地、販売地を普通に用いられる方法で表示する標章のみからなる商標であって、商標法第３条第１項第３号に該当するものである。
　したがって、本願商標が商標法第３条第１項第３号に該当するとして本願を拒絶した原査定は、妥当であって、取り消すことはできない。
　よって、結論のとおり審決する。